(57)【要約】【課題】この発明は、外部から電話回線を介してテレビ放送受信機にアクセスすることによって、部屋の様子をモニタすることができるようになるテレビ放送受信機を提供することを目的とする。【解決手段】テレビ放送受信機本体の前方の音声を集音するマイク、上記テレビ放送受信機本体の前方の様子を撮像するカメラ、ユーザによって予め登録された暗証番号を記憶する記憶手段、電話回線に接続された通信手段、電話機からの着信があり、かつ暗証番号が上記電話機によって入力された場合に、入力された暗証番号と上記記憶手段に記憶されている暗証番号とが一致するか否かを判別する判別手段、ならびに入力された暗証番号と上記記憶手段に記憶されている暗証番号とが一致したときには、上記マイクにより集音された音声および上記カメラにより撮影された映像を、上記通信手段および上記電話回線を介して上記電話機に伝送する手段を備えている。【選択図】　図１
2004048764.tif 000002
【特許請求の範囲】
【請求項１】
テレビ放送受信機本体の前方の音声を集音するマイク、
上記テレビ放送受信機本体の前方の様子を撮像するカメラ、
ユーザによって予め登録された暗証番号を記憶する記憶手段、
電話回線に接続された通信手段、
電話機からの着信があり、かつ暗証番号が上記電話機によって入力された場合に、入力された暗証番号と上記記憶手段に記憶されている暗証番号とが一致するか否かを判別する判別手段、ならびに
入力された暗証番号と上記記憶手段に記憶されている暗証番号とが一致したときには、上記マイクにより集音された音声および上記カメラにより撮影された映像を、上記通信手段および上記電話回線を介して上記電話機に伝送する手段、
を備えているテレビ放送受信機。
【発明の詳細な説明】
【０００１】
【発明の属する技術分野】
この発明は、テレビ放送受信機に関する。
【０００２】
【従来の技術】
電話機として、高齢者や病人が一人で在宅中に緊急事態が発生した際に、電話機に設けられた緊急ボタンを押すと、予め登録された緊急連絡先に緊急事態の発生を知らせる機能（緊急連絡機能）を備えたものがある。また、部屋の様子を示す音声を、電話回線を通じてモニタできる機能（モニタ機能）を備えた電話機もある。
【０００３】
【発明が解決しようとする課題】
ところで、テレビ放送受信機は、有料放送に対する課金データの収集、インタラクティブ機能の実現のために、電話回線に接続される機種が増加していく傾向にある。
【０００４】
テレビ放送受信機は部屋全体を見渡せる場所に設置されていることが多いので、テレビジョン側にカメラ等を設けると、部屋全体をモニタできる可能性が高い。したがって、外部から電話回線を介してテレビ放送受信機にアクセスすることによって、部屋の様子をモニタできるようにできれば、便利である。
【０００５】
この発明は、外部から電話回線を介してテレビ放送受信機にアクセスすることによって、部屋の様子をモニタすることができるようになるテレビ放送受信機を提供することを目的とする。
【０００６】
【課題を解決するための手段】
この発明によるテレビ放送受信機は、テレビ放送受信機本体の前方の音声を集音するマイク、上記テレビ放送受信機本体の前方の様子を撮像するカメラ、ユーザによって予め登録された暗証番号を記憶する記憶手段、電話回線に接続された通信手段、電話機からの着信があり、かつ暗証番号が上記電話機によって入力された場合に、入力された暗証番号と上記記憶手段に記憶されている暗証番号とが一致するか否かを判別する判別手段、ならびに入力された暗証番号と上記記憶手段に記憶されている暗証番号とが一致したときには、上記マイクにより集音された音声および上記カメラにより撮影された映像を、上記通信手段および上記電話回線を介して上記電話機に伝送する手段を備えていることを特徴とする。
【０００７】
【発明の実施の形態】
以下、図面を参照して、この発明の実施の形態について説明する。
【０００８】
〔１〕テレビ放送受信機の構成の説明
【０００９】
図１は、ＣＳデジタル放送を受信する機能を有するテレビ放送受信機の構成を示している。
【００１０】
通信衛星（ＣＳ）を利用したＣＳ放送波は、ＣＳアンテナ１を介してＣＳチューナ２に送られ、高周波処理および復調が行われる。ＣＳチューナ２からの出力はＤＥＭＵＸ回路３に送られ、パケットの復号が行われる。
【００１１】
ＤＥＭＵＸ回路３において、パケットは、ＭＰＥＧデータと番組案内情報等の付属情報とに分別される。ＤＥＭＵＸ回路３によって分別されたＭＰＥＧデータは、ＡＶデコーダ４に送られる。ＤＥＭＵＸ回路３によって分別された番組案内情報等の付属情報は、システムコントローラ１４に送られる。
【００１２】
システムコントローラ１４は、ＤＥＭＵＸ回路３から送られきた付属情報を、メモリ１５に格納する。システムコントローラ１４には、リモコン送信機（リモートコントローラ）１２からのリモコン信号がリモコン受光器１３を介して入力される。
【００１３】
システムコントローラ１４は、チューナ２およびＤＥＭＵＸ回路３に選局のための情報等を送る。また、システムコントローラ１４は、ＣＳ放送に対する番組ガイド、ＣＳ放送に対する各種設定画面などをＣＲＴ８にオンスクリーン表示させるためのＯＳＤ制御信号を、ＯＳＤ表示回路１６に送る。ＯＳＤ表示回路１６は、番組ガイド等の表示データを生成して、マルチプレクサ（合成回路）６に送る。
【００１４】
ＡＶデコーダ４は、ＤＥＭＵＸ回路３から送られきたＭＰＥＧデータを復調する。ＡＶデコーダ４によって得られた映像信号は、映像処理回路５を介してマルチプレクサ６に送られる。マルチプレクサ６は、映像処理回路５から出力された映像データにＯＳＤ表示回路１６から送られてきた表示データをスーパーインポーズ処理して、映像出力回路７に送る。映像出力回路７から出力された映像信号は、ＣＲＴ８に送られる。
【００１５】
ＡＶデコーダ４によって得られた音声信号は、音声処理回路９および音声出力回路１０を介してスピーカ１１に送られる。
【００１６】
選局された番組が有料番組である場合には、付属情報に基づいてシステムコントローラ１４はＯＳＤ制御信号をＯＳＤ表示回路１６に送出する。ＯＳＤ表示回路１６は、番組購入選択画面を作成して、マルチプレクサ６に送る。これにより、番組購入選択画面がＣＲＴ８に表示される。ユーザは、当該有料番組を視聴したい場合には、番組購入選択画面に基づいて購入手続きを行う。なお、通常は、ユーザが有料番組の購入手続きを行うまでは、有料番組の映像はブラックアウトされている。
【００１７】
ユーザが、リモコン送信機１２を操作して、有料番組の購入手続きを行うと、システムコントローラ１４はブラックアウトを解除するためのＡＶ制御信号をＡＶデコーダ４に送出する。これにより、ブラックアウトが解除され、ＣＲＴ８に有料番組が正常に表示される。
【００１８】
また、有料番組の購入手続きが行われると、課金データがメモリ１５に格納される。システムコントローラ１４は、一定期間毎にまたは課金データの合計額が所定の額に達したときに、ダイヤル機能を有する回線ＩＦ２３に指示して、管理センターの電話番号にダイヤリングを行い、予め定められたプロトコルに従って、課金データを通信ＩＦ２１、モデム２２、回線ＩＦ２３および電話回線を介して管理センターに課金データを伝送する。
【００１９】
以上は、通常のテレビ放送受信機としての動作である。このテレビ放送受信機は、後に詳述するように、緊急通報機能およびモニタ機能を備えている。
【００２０】
このテレビ放送受信機は、緊急通報機能のために用いられる音声合成回路３０を備えている。また、緊急通報機能のために用いられる緊急ボタン４１がリモコン送信機１２に設けられている。
【００２１】
また、このテレビ放送受信機は、モニタ機能のために用いられる内蔵カメラ２５および内蔵マイク２６を備えている。
【００２２】
内蔵カメラ２５から出力される映像信号は、第１ＡＤ変換器２７によりデジタル信号に変換される。内蔵マイク２６から出力される音声信号は、第２ＡＤ変換器２８によりデジタル信号に変換される。
【００２３】
第１ＡＤ変換器２７によって得られた映像データと、第２ＡＤ変換器２８によって得られた音声データとは、圧縮多重回路２９によって、一般的に知られているテレビ電話に準拠した圧縮方式で圧縮されかつ多重された後、通信ＩＦ２１、モデム２２、回線ＩＦ２３および電話回線を介して、外部のテレビ電話に伝送される。
【００２４】
〔２〕緊急通報機能についての説明
【００２５】
緊急通報機能とは、リモコン送信機１２に設けられている緊急ボタン４１をユーザが押すと、予め電話番号またはテレビ電話番号が登録されている緊急連絡先に発呼して、緊急メッセージを出力する機能をいう。
【００２６】
図２は、緊急連絡先の登録手順を示している。
【００２７】
まず、リモコン送信機１２に設けられているメニューボタンを操作する（ステップ１）。これにより、メニュー画面がＣＲＴ８に表示せしめられる（ステップ２）。
【００２８】
次に、メニュー画面から、選択項目”緊急連絡先登録”を選択する（ステップ３）。これにより、緊急連絡先登録画面がＣＲＴ８に表示せしめられる（ステップ４）。
【００２９】
この緊急連絡先登録画面に基づいて、ユーザは、緊急連絡先の電話番号を入力する（ステップ５）。緊急連絡先は、１件のみならず、複数件登録することが好ましい。
【００３０】
緊急連絡先の入力操作が完了すると（緊急連絡先の入力操作が完了した旨の入力があると）（ステップ６）、入力された緊急連絡先の電話番号が、メモリ１５に登録されるとともに画面がメニュー画面に戻る（ステップ７）。
【００３１】
図３は、緊急ボタンが操作されたときにシステムコントローラ１４によって実行される緊急連絡処理手順を示している。
【００３２】
緊急ボタン４１が操作されると（ステップ１１）、そのことを表す信号が、リモコン受光器１３を介してシステムコントローラ１４に入力される。システムコントローラ１４は、上記信号が入力されると、回線ＩＦ２３に指示して、メモリ１５に登録されている緊急連絡先の一件目の電話番号にダイヤリングを行う（ステップ１２）。
【００３３】
ここで、相手のオフフックが検出されれば（ステップ１３）、つまり、相手が電話にでれば、システムコントローラ１４は、音声合成回路３０を制御して緊急メッセージを発生させ、回線ＩＦ２３を介して緊急連絡先に伝送する（ステップ１４）。そして、ステップ１６に移行する。
【００３４】
ダイヤリングを行った後、一定時以内にオフフックが検出されない場合には（ステップ１５）、ステップ１６に移行する。
【００３５】
ステップ１６では、緊急連絡先をチェックし、次の緊急連絡先がなければ（ステップ１６でＮＯ）、緊急連絡処理を終了する。次の緊急連絡先がある場合には（ステップ１６でＹＥＳ）、次の緊急連絡先の電話番号にダイヤリングを行った後（ステップ１７）、ステップ１３に戻る。
【００３６】
なお、システムコントローラ１４は、ＯＳＤ表示回路１６を制御して、以上の一連の動作状況を知らせる文字メッセージをＣＲＴ８に表示させることが好ましい。たとえば、ダイヤリングを行っているときには、「ただいま、〇〇さんに電話をかけています」という文字メッセージを、オフフックを検出したときには「〇〇さんに繋がりました。メッセージを流しています」という文字メッセージを、所定時間経過してもオフフックを検出できないため、次の緊急連絡先にダイヤリングするときには、「〇〇さんに繋がりませんでした。次は、××さんに電話をかけます」という文字メッセージを、ＣＲＴ８に表示することが好ましい。
【００３７】
また、緊急連絡先の登録時において、緊急連絡先の電話番号の他、当該緊急連絡先が通常の電話であるかテレビ電話であるかを示す識別子をもユーザに入力させるようにし、緊急連絡先が通常の電話であるかテレビ電話であるかを示す識別子をも登録することが好ましい。そして、接続先がテレビ電話である場合には、内蔵カメラ２５および内蔵マイク２６を駆動させ、緊急メッセージ（合成音声）を伝送した後に、内蔵カメラ２５および内蔵マイク２６によって得られた室内の映像・音声を当該テレビ電話に伝送するようにすることが好ましい。
【００３８】
〔３〕モニタ機能の説明
【００３９】
モニタ機能とは、外部のテレビ電話からテレビ放送受信機にアクセスを行うことによって、内蔵カメラ２５によって撮像した映像および内蔵マイク２６で集音した音声を、電話回線を介して取得する機能をいう。
【００４０】
モニタ機能を有効にするか否かは、ユーザによって選択できるようになっている。この設定は、たとえば、メニュー画面から選択項目”モニタ機能設定”を選択してモニタ機能設定画面を表示させ、モニタ機能設定画面上でモニタ機能を有効とするか無効とするかをユーザが選択することにより行われる。
【００４１】
図４は、外部のテレビ電話からテレビ放送受信機に対して電話がかけられたときにシステムコントローラ１４によって実行されるモニタ処理手順を示している。なお、ユーザは、暗証番号登録操作によって予め暗証番号を入力し、入力された暗証番号がメモリ１５に登録されているものとする。
【００４２】
外部のテレビ電話からの着信が有った場合には（ステップ２１）、モニタ機能が有効として設定されているか否かが判別される（ステップ２２）。モニタ機能が有効として設定されていない場合には、回線を切断し（ステップ２９）、モニタ処理を終了する。
【００４３】
モニタ機能が有効として設定されている場合には、暗証番号入力を促す音声メッセージを音声合成回路３０によって発生させ、上記外部のテレビ電話に送出する（ステップ２３）。この音声メッセージに基づいて、外部のテレビ電話によって暗証番号が入力された場合には（ステップ２４でＹＥＳ）、予め登録されている暗証番号と入力された暗証番号とが一致するか否かを判別し、両者が一致した場合には（ステップ２６）、内蔵カメラ２５および内蔵マイク２６を駆動させ、内蔵カメラ２５および内蔵マイク２６によって得られた室内の映像・音声を上記外部のテレビ電話に伝送させる（ステップ２７）。
【００４４】
この後、上記テレビ電話がオンフックした場合には（ステップ２８）、回線を切断し（ステップ２９）、モニタ処理を終了する。
【００４５】
上記ステップ２３で暗証番号入力を促す音声メッセージを送出した後、一定時間内に暗証番号入力が無かった場合（ステップ２５でＮＯ）、または暗証番号入力があっても予め登録されている暗証番号と一致しなかった場合には（ステップ２６でＮＯ）、回線を切断し（ステップ２９）、モニタ処理を終了する。
【００４６】
【発明の効果】
この発明によれば、外部から電話回線を介してテレビ放送受信機にアクセスすることによって、部屋の様子をモニタすることができるようになる。
【図面の簡単な説明】
【図１】テレビ放送受信機の構成を示すブロック図である。
【図２】緊急連絡先の登録手順を示すフローチャートである。
【図３】緊急ボタンが操作されたときにシステムコントローラ１４によって実行される緊急連絡処理手順を示すフローチャートである。
【図４】外部のテレビ電話からテレビ放送受信機に対して電話がかけられたときにシステムコントローラ１４によって実行されるモニタ処理手順を示すフローチャートである。
【符号の説明】
１２　リモコン送信機
１４　システムコントローラ
２１　通信ＩＦ
２２　モデム
２３　回線ＩＦ
２５　内蔵カメラ
２６　内蔵マイク
２７、２８　ＡＤ変換器
２９　圧縮多重回路
３０　音声合成回路
【図１】
2004048764.tif 000003
【図２】
2004048764.tif 000004
【図３】
2004048764.tif 000005
【図４】
2004048764.tif 000006